(57)【特許請求の範囲】
【請求項１】
正面が開口する正面開口部を有する筐体と、
前記筐体の前記正面開口部を開閉自在にふさぐ前扉と、
前記筐体内部に複数の図柄を変動表示又は停止表示するための図柄表示手段とを備え、
抽選乱数を抽出して、この抽選乱数と予め当選領域を定めた抽選テーブルとを比較して当選決定を行い、その当選結果に一致した図柄が前記図柄表示手段に停止表示したときに、入賞として遊技媒体を払い出す遊技機において、
前記筐体及び前記前扉の間、あるいは前記前扉の部品間に発生する隙間に、対向させて離した状態で配置する２つの電極と、
導電性の異物の挿入によって、当該異物を介して前記両電極間に電流が流れることにより、異物挿入を検知する導通検知手段とを備えたことを特徴とする遊技機。
【請求項２】
対向させる前記電極は、その断面形状を波形に形成していることを特徴とする請求項１記載の遊技機。
【発明の詳細な説明】
【技術分野】
【０００１】
この発明は、不正操作を防止可能な遊技機に関するものである。
【背景技術】
【０００２】
従来、この種の遊技機、具体的には、例えばスロットマシンでは、外部から針金等のワイヤーを挿入され設定を変更されるといった不正行為、いわゆるゴト行為が多く報告されている。このような不正行為の対策として、筐体及び前扉の間の隙間を塞ぐものや、隙間からの進入を邪魔するような構造のものや、前扉の開放を報知するようなものが考えられている。
具体的には、隙間からの進入を塞ぐために、上扉及び下扉の間に、一方から他方の裏面にまで達する隠し部を設けたもの等が検討されている（例えば、特許文献１。）。
【特許文献１】特開２００３−５２８９０号公報
【発明の開示】
【発明が解決しようとする課題】
【０００３】
しかし、上記した従来の遊技機では、特許文献１に示すような隙間間を複雑な構造に形成しても、両者の間に隙間が有れば、フレキシブルなワイヤであれば、それらの間から進入が可能である。そして、遊技機に発生する隙間を塞ぐような構造にしようとすると、それらの寸法精度を高める必要があり、製造コストの上昇を招くことになる。また、そのような寸法精度を高めた部品を、隙間の無いような寸法形状に製造することができても、開閉動作や、部品間の組立が難しくなってしまう。結果として、ゴト防止のために、遊技機の部品間に発生する隙間を解消することは難しいといった問題点があった。
そこで、各請求項にそれぞれ記載された各発明は、上記した従来の技術の有する問題点に鑑みてなされたものであり、その目的とするところは、次の点にある。
【０００４】
（請求項１）  すなわち、請求項１記載の発明は、上記した従来の技術の有する問題点に鑑みてなされたものであり、その目的とするところは、隙間を発生させた状態で、異物挿入を検知することができて、不正行為を防止することができるとともに部品の製造コスト及び組立コストの低減化を図ることができるようにした遊技機を提供しようとするものである。
（請求項２）  請求項２記載の発明は、上記した請求項１記載の発明の目的に加え、次の点を目的とする。すなわち、請求項２記載の発明は、異物挿入の検知精度を向上させることができるようにした遊技機を提供しようとするものである。
【課題を解決するための手段】
【０００５】
（請求項１）
（特徴点）  請求項１記載の発明は、次の点を特徴とする。すなわち、正面が開口する正面開口部(11)を有する筐体(1)と、前記筐体(1)の前記正面開口部(11)を開閉自在にふさぐ前扉(3)と、前記筐体(1)内部に複数の図柄を変動表示又は停止表示するための図柄表示手段（具体的には、回転リール(23)）とを備え、抽選乱数を抽出して、この抽選乱数と予め当選領域を定めた抽選テーブルとを比較して当選決定を行い、その当選結果に一致した図柄が前記図柄表示手段に停止表示したときに、入賞として遊技媒体を払い出す遊技機(S)において、前記筐体(1)及び前記前扉(3)の間、あるいは前記前扉(3)の部品間に発生する隙間に、対向させて離した状態で配置する２つの電極(200)と、導電性の異物の挿入によって、当該異物を介して前記両電極(200)間に電流が流れることにより、異物挿入を検知する導通検知手段(230)とを備えたことを特徴とする。
【０００６】
なお、ここで、「遊技機(10)」とは、具体的には、例えば、スロットマシンであるが、上述した回転リール(40)を有するパチンコ機や、その他の遊技機を含むものである。
（作用）  本発明は、筐体(1)及び前扉(3)の間、或いは前扉(3)の部品間に発生する隙間に、２つの電極(200)を、対向させて離した状態で配置している。このため、この隙間に針金等の導電性のある異物が挿入されると、かかる異物が２つの電極(200)の間に挟まり、２つの電極(200)間に異物を介して電流が流れる。そして、導通検知手段(230)が、かかる電極(200)間に電流が流れたことにより、その隙間に異物挿入があったことを検知する。これにより、筐体(1)及び前扉(3)の間等の隙間に異物が挿入されたことを検知することができる。
【０００７】
更に、２つの電極(200)は、対向させて離した状態で配置されるため、筐体(1)及び前扉(3)等の電極(200)が配置される隙間を離した状態で形成することができる。これにより、異物が進入することを回避するために、かかる隙間の発生を塞ぐような寸法形状に形成する必要がなく、部品の製造及び組立を簡単なものにすることができて、製造コスト及び組立コストの低減化を図ることができる。
（請求項２）
（特徴点）  請求項２記載の発明は、上記した請求項１記載の発明の特徴点に加え、次の点を特徴とする。すなわち、対向させる前記電極(200)は、その断面形状を波形に形成していることを特徴とする。
【０００８】
（作用）  本発明は、電極(200)の断面形状を、波形に形成していることにより、隙間の寸法に対して、異物が挿入可能な寸法をさらに小さなものにすることができる。これにより、電極(200)による異物進入の検知精度を向上させることができる。
【発明の効果】
【０００９】
本発明は、以上のように構成されているので、以下に記載されるような効果を奏する。
（請求項１）  請求項１記載の発明によれば、次のような効果を奏する。すなわち、請求項１記載の発明によれば、隙間を発生させた状態で、異物挿入を検知することができて、不正行為を防止することができるとともに部品の製造コスト及び組立コストの低減化を図ることができるようにした遊技機を提供することができる。
（請求項２）  請求項２記載の発明によれば、上記した請求項１記載の発明の効果に加え、次のような効果を奏する。すなわち、請求項２記載の発明によれば、異物挿入の検知精度を向上させることができるようにした遊技機を提供することができる。
【発明を実施するための最良の形態】
【００１０】
（図面の説明）
図１乃至図６は、本発明の実施の形態を示すものである。
図１は前扉、交換ユニット及び筐体を分解した状態の遊技機の外観斜視図、図２は前扉及び筐体を分解した状態の遊技機の外観斜視図、図３は電極及び導通検知手段の簡略回路図、図４は電極及び導通検知手段の概念図、図５は前パネル及び前パネル枠間に設けた電極の横断面図、図６は前パネル及び前パネル枠間に設けた波形電極の横断面図をそれぞれ示すものである。
（遊技機S）
本形態に係る遊技機Sは、正面が開口する正面開口部11を有する筐体1と、筐体1の正面開口部11を開閉自在にふさぐ前扉3と、筐体1内部に複数の図柄を変動表示又は停止表示するための図柄表示手段としての回転リール23とを備え、抽選乱数を抽出して、この抽選乱数と予め当選領域を定めた抽選テーブルとを比較して当選決定を行い、その当選結果に一致した図柄が図柄表示手段としての回転リール23に停止表示したときに、入賞として遊技媒体（遊技メダル）を払い出すものである。
【００１１】
そして、本形態に係る遊技機Sは、前扉3の部品間に発生する隙間に、対向させて離した状態で配置する２つの電極200と、異物の挿入によって、両電極200を導通可能にして、異物挿入を検知する導通検知手段230とを備えていることを特徴とするものである。なお、電極200は、筐体1及び前扉3の間に設けても良いものである。以下、詳細に説明する。
本実施の形態に係る遊技機Sは、具体的には、スロットマシンであって、図１及び図２に示すように、大きく分けて、正面側に開口する正面開口部11を有する筐体1、筐体1内部に着脱自在に設けられる交換ユニット2、筐体1の正面開口部11を開閉可能に塞ぐための前扉3とから構成されている。そして、筐体1の正面開口部11は、筐体1の上部に開口する開口上部13と、筐体1の下部に開口する開口下部14とを備えている。そして、前記前扉3は、筐体1の開口上部13を開閉可能に塞ぐための上扉30と、筐体1の開口下部14を開閉可能に塞ぐための下扉40とを備えている。そして、交換ユニット2の手前側には、上扉30が取り付けられてあり、この交換ユニット2及び上扉30により、扉一体型交換ユニットを形成している。すなわち、通常のいわゆる新台入れ替えの際には、交換ユニット2及び上扉30が一体となった扉一体型交換ユニット毎に入れ替えることができるものである。もちろん、新台入れ替えの際、上扉30は、そのままで、交換ユニット2だけを交換することもできる。
【００１２】
なお、ここで、「手前方向」とは、交換作業者（或いは遊技者）が、遊技機Sの正面側の前に遊技機Sの方を向いて位置しているような場合のかかる交換作業者（或いは遊技者）から見た場合の奥から手前への方向を意味する。したがって、手前方向とは、遊技機Sの奥から正面へ向かう方向を意味する。また、「奥方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、奥方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００１３】
（筐体1）
前記筐体1は、図１及び図２に示すように、全体形状が略箱状であって、底板15、左右の側板16、天板17及び裏板18からなる正面側に開口する筺体である。そして、この筐体1の高さ方向略中央部には、二つの側板16の間に水平方向に中板12が渡してある。そして、この中板12は、扉一体型交換ユニットを筐体1の奥側内部に案内するためのガイド73を左右側部に備えている。また、中板12は、金属板からなるものである。そして、底板15には、各部品に電気を供給するための電源装置4と、投入された遊技メダルを貯留するとともにメダル受け43に遊技メダルを払い出し可能なホッパーユニットとも呼ばれる払い出し装置5とが固定されている。
【００１４】
ここで、電源装置4は、開口下部14の底板15の上面に取り付けられており、遊技店側が種々の設定を行うためのスイッチ等の操作部を有している。
前記電源装置4及び払い出し装置5は、交換ユニット2の交換に際し、必ずしも交換する必要のないものであり、交換時には設置されたままにしておけるようになっているものである。
また、側板16の正面左側の下部には、前記下扉40を係合させ、回転自在に支持するための本体係合部62が、上下方向に間隔をおいて二つ設けられている。
さらに、正面から向かって右側の側板16には、下扉40を閉めた際、下扉40をロックするための被係止部90が、上下方向に間隔をおいて二つ設けられている。
【００１５】
前記筐体1の左右の側板16の内面には、交換ユニット2を固定するためのクリップ70を備えている。
（ガイド73）
前記ガイド73は、交換ユニット2を筐体1の奥側内部に案内するためのものである。このガイド73は、中板12の左右に位置して、前後方向に形成された２本の帯板レール状のものであって、交換ユニット2の下部に配置されたローラーが回転移動可能なものである。
（扉一体型交換ユニット）
前記扉一体型交換ユニットは、図１に示すように、遊技ホールにおける、いわゆる新台入れ替えの際、遊技内容を変更するために筐体1に対して交換可能に形成されているものである。この扉一体型交換ユニットは、交換ユニット2と、この交換ユニット2の手前側に開閉可能に取り付けられた上扉30とから形成されているものである。この交換ユニット2及び上扉30は、両者が一体となった状態で、筐体1から取り外し、また、取り付けることができるように形成されている。なお、交換ユニット2から上扉30を取り外せば、いわゆる新台入れ替えの際、上扉30はそのまま交換せずに、交換ユニット2だけを交換することができる。このように、交換ユニット2だけの取り付けや、取り外しも可能となるように形成されている。
【００１６】
（交換ユニット2）
前記扉一体型交換ユニットの交換ユニット2は、図１及び図２に示すように、クリップ70及びフック80を介して、筐体1に着脱自在に取り付けられているものである。
前記交換ユニット2は、リールユニット20及び基板ユニット24を装着するための四角枠状の部材を組み合わせた枠21を備えている。すなわち、リールユニット20及び主制御装置25は、これらを装着するための枠21を介して、交換ユニット2に組み込まれているものである。交換ユニット2は、前記枠21の下部に固定されたリールユニット20と、枠21の上部奥側に固定された基板ユニット24とを備えている。
【００１７】
ここで、リールユニット20は、周囲に複数の図柄を表示した３個の回転リール23と、特に図示しないが、それぞれの回転リール23を回転させるための駆動モータを有している。また、前記基板ユニット24は、回転リール23の回転等を制御するための主制御装置25が透明樹脂からなる四角箱状の基板ケース26の内部に収納されているものである。
前記枠21の正面左側の縦枠には、前記上扉30を回転自在に係合するための枠体係合部60が、上下方向に間隔をおいて二つ設けられている。
さらに、枠21の正面右側の縦枠には、上扉30を閉めた際、上扉30をロックするために上扉30の錠装置85に係止可能な被係止部90が、上下方向に間隔をおいて二つ設けられている。このように、枠21の左側の枠体係合部60と、枠21の右側の被係止部90とにより、上扉30が枠21に回動可能に固定され、両者を一体のものにすることができる。
【００１８】
そして、枠21の前面側の左右の縦枠の上部の内面側には、フック80が固定されている。
（上扉30）
前記上扉30は、筐体1の開口上部13の開閉を行うための扉であって、図１及び図２に示すように、交換ユニット2の枠21に回転自在かつロック可能に形成されている板状の扉である。そして、上扉30は、略中央部に前記回転リール23の図柄を正面側から見ることができる図柄表示窓31を有し、周囲に飾り部33が設けられ、種々の表示を行うための表示装置32が設けられているものである。
さらに、上扉30の左側の裏面には、前記枠体係合部60に係合可能な上扉係合部61が上下方向に間隔をおいて二つ設けられている。そして、上扉30の右側の裏面には、扉ロック機構7としての錠装置85が設けられている。そして、上扉30の裏面上部の左右には、種々の音声を出力するためのスピーカ49が設けられている。
【００１９】
（下扉40）
前記下扉40は、図１及び図２に示すように、筐体1の開口下部14を開閉自在に塞ぐための、上扉30よりも幅厚の扉であり、筐体1の側板16に回転自在かつロック可能に形成されているものである。
前記下扉40の上部は、遊技機Sを作動させるための操作部41となっており、下扉40の上面は、閉扉時においては、上扉30よりも前側に突出するようになっている。また、下部には払い出されたメダルを溜めておくための箱状のメダル受け43が形成されており、下扉40の略中央部には、遊技内容その他の案内表示をするための四角板状の前パネル50が嵌め込まれている。この前パネル50は、その周囲の四角枠状の前パネル枠51により支持されているものである。
【００２０】
前記操作部41としては、下扉40の上面右端にはメダル投入口42と、上面左側に設けられたベットスイッチと、正面側にはレバー式のスタートスイッチと、ボタン式のストップスイッチと、鍵穴44とが設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉3を解錠するためのものであり、この穴に所定の鍵を差し込んで回すと、下扉40の扉ロック機構7としての錠装置85のロックが解除されるものである。
さらに、下扉40の裏面側には、前記メダル投入口42から投入された遊技メダルを誘導しながら遊技メダルの正偽を判断するためのメダルセレクター48が設けられている。
【００２１】
また、下扉40の左側の裏面には、前記本体係合部62と係合可能な下扉係合部63が上下方向に間隔をおいて二つ設けられている。そして、下扉40の右側の裏面には、筐体1の被係止部90にロック可能なアンカー状の係止部100を有する扉ロック機構7としての錠装置85が設けられている。
（クリップ70）
前記クリップ70は、図１及び図２に示すように、筐体1の左右の側板内面にそれぞれ取り付けられているとともに、交換ユニット2の左右のフック80にそれぞれ固定するためのものである。
【００２２】
（フック80）
前記フック80は、図１及び図２に示すように、交換ユニット2の左右の縦方向の枠21の上部にそれぞれ固定されるとともに、前記クリップ70に係止可能に形成されているものである。
（錠装置85）
前記錠装置85は、正面が開口する正面開口部11を有する筐体1と、筐体1の正面開口部11を開閉可能に支持される前扉3と備える遊技機Sの前扉3に取り付けられて、前扉3を筐体1に施錠するためのものである。
【００２３】
（導通用電源240）  導通用電源240は、後述する電極200に導通用の電圧を負荷し、２つの電極200間に導電性の異物が接触して、両者間が導通した場合、両者間にかかる異物を介して電流を流すための電源としての役割を有するものである。この導通用電源240は、本形態では、直流用電源を使用しているが、交流を使用してもかまわない。なお、この導通用電源240は、遊技機Sの電源装置4のスイッチとは別に、電源装置4のスイッチをオフ状態にしても、導通用電源240の電源は、電極200間に電流を流すことができるように常時作動させるように形成しても良い。これにより、遊技ホールの営業が終了した後も、不正行為を検知することが可能になる。
【００２４】
（電極200）  前記電極200は、前扉3の部品間に発生する隙間に、対向させて離した状態で２つ配置しているものである。
具体的には、図５に示すように、前パネル50と、前パネル枠51との間に２つの帯板状の電極200を設けているものである。四角板状の前パネル50の前面側の周囲に沿って一方の帯板状の電極200が四角枠状に配置されている。そして、その一方の電極200の位置に整合するような前パネル枠51の背面側の周囲に他方の帯板状の電極200が四角枠状に配置されている。常時は、２つの電極200の間には、所定の距離の隙間が形成されてあり、両者の電極200間に電流が流れることはないように形成されている。そして、図５に示すように、金属針金等の異物が、外部から挿入されると、その導電性の針金を介して、両者の電極200間に電流が流れる仕組みとなっている。
【００２５】
なお、本形態では、帯板状の電極200を使用しているが、電極200の形状はこれに限定されるものではなく、他の形状のものでも良い。図６は、前パネル50の右側の縦縁及び前パネル枠51の右側の縦枠の横断面形状を示すものである。図６に示すように、横断面形状が波形に形成されている波形電極210を、前パネル50及び前パネル枠51の両方に配置してもよいものである。このように、波形電極210の断面形状は、隙間の奥方向に沿って波形に形成されていることにより、前パネル50と前パネル枠51との間の隙間の距離は、波形電極210が互いに対向する位置同士において、前パネル50側の電極200の凸部と、前パネル枠51側の電極200の凹部との間の距離になるため、上述した帯板状の電極200の隙間の距離から一方の凸部分だけ短い距離となる。しかし、異物が挿入可能な寸法は、前パネル50側の電極200の凸部と、前パネル枠51側の電極200の凸部との間の距離になるため、帯板状の電極200の場合と比較して、両方の凸部の合計分だけ短い距離となって、隙間の距離を小さなものにすることができる。これにより、電極200による異物進入の検知精度を向上させることができる。
【００２６】
また、本形態では、電極200を、前パネル50と前パネル枠51との間に配置したが、電極200を配置する位置は、これに限定されるものではない。遊技機Sの前扉3の他の部品間に発生する隙間に、対向させて離した状態で配置することができるものである。例えば、表示窓31と、この表示窓31の周囲部材との間に発生する隙間に電極200を配置しても良い。また、操作部41と、この操作部41の周囲部材との間に発生する隙間に電極200を配置しても良い。また、飾り部33と、この飾り部33の周囲部材との間に発生する隙間に電極200を配置しても良い。また、メダル受け43と、このメダル受け43の周囲部材との間に発生する隙間に電極200を配置しても良い。また、表示装置32と、この表示装置32の周囲部材との間に発生する隙間に電極200を配置しても良い。
【００２７】
更に、筐体1と、前扉3との間に発生する隙間に電極200を配置しても良いものである。
すなわち、前扉3の周囲と、筐体1の前面側の四角縁との間に電極200を配置するものである。
具体的には、上扉30と筐体1の開口上部13側の周囲縁との間に発生する隙間に電極200を配置するものである。また、下扉40と筐体1の開口下部14側の周囲縁との間に発生する隙間に電極200を配置するものである。更に、上扉30と、下扉40との間に発生する隙間に電極200を配置することができる。
更に、基板ケース26を構成する面部材と、基板ケース26を構成する他の面部材との間に発生する隙間に電極200を配置しても良い。
【００２８】
更に、電源装置4の外面を構成する面部材と、電源装置4の外面を構成する他の面部材との間に発生する隙間に電極200を配置しても良い。
また、ここで、上述したような一方の部材と、他方の部材との間の隙間を０にすることは難しいため、かかる隙間間に電極200を配置するものであるが、その隙間の寸法を所定寸法に維持することができるようなスペーサーを、隙間間に配置するようにしても良い。
（導通検知手段230）  前記導通検知手段230は、異物の挿入によって、両電極200を導通可能にして、異物挿入を検知するためのものである。具体的には、導通検知手段230は、電極200間に電流が流れることにより、周囲に不正行為を報知することできるように点灯するランプ231を備えている。このランプ231は、上扉30の上部に位置して、ホール管理者に報知することができるものである。なお、導通検知手段230は、このランプ231に限定するものではなく、例えば、ホール管理者の詰め所のホールコンピュータに配置したランプが点灯するように形成しても良いものである。また、この導通検知手段230は、ランプに限定するものではなく、異常音や警告音を発生するスピーカー49のような音発生手段や、液晶等の画面に異常を報知することが可能な画面表示装置でも良いものである。
【図面の簡単な説明】
【００２９】
【図１】本発明の形態であって、前扉、交換ユニット及び筐体を分解した状態の遊技    機を示す外観斜視図である。
【図２】本発明の形態であって、前扉及び筐体を分解した状態の遊技機を示す外観斜    視図である。
【図３】本発明の形態であって、電極及び導通検知手段を示す簡略回路図である。
【図４】本発明の形態であって、電極及び導通検知手段を示す概念図である。
【図５】本発明の形態であって、前パネル及び前パネル枠間に設けた電極を示す横断    面図である。
【図６】本発明の形態であって、前パネル及び前パネル枠間に設けた波形電極を示す    横断面図である。
【符号の説明】
【００３０】
S 遊技機                               1 筐体
2 交換ユニット                         3 前扉
4 電源装置                             5 払い出し装置
7 扉ロック機構                         11  正面開口部
12  中板                                13  開口上部
14  開口下部                            15  底板
16  側板                                17  天板
18  裏板                                20  リールユニット
21  枠                                  23  回転リール
24  基板ユニット                        25  主制御装置
26  基板ケース                          30  上扉
31  表示窓                              32  表示装置
33  飾り部                              40  下扉
41  操作部                              42  メダル投入口
43  メダル受け                          44  鍵穴
48  メダルセレクター                    49  スピーカー
50  前パネル                            51  前パネル枠
60  枠体係合部                          61  上扉係合部
62  本体係合部                          63  下扉係合部
70  クリップ                            80  フック
200 電極                               210 波形電極
230 導通検知手段                       231 ランプ
240 導通用電源
【図１】
0004632986.tif 000002
【図２】
0004632986.tif 000003
【図３】
0004632986.tif 000004
【図４】
0004632986.tif 000005
【図５】
0004632986.tif 000006
【図６】
0004632986.tif 000007